(57)【要約】【課題】  従来からの秋田杉による曲げわっぱの伝統工芸技術に、柾目単板における透かし彫りの装飾技術を融合させて、実用性に加えて装飾性に富んだ曲げわっぱ容器を提供すること。【解決手段】  所要幅、所要厚の柾目状の単板１を平面視所要形状に巻き回して多重層に曲げ重ね、重ね合わせ端部を接着剤で接合するとともに、桜皮７で縫い合わせて曲げ輪を形成し、該曲げ輪の底部に底板を接合して成る曲げわっぱ容器において、  前記多重層の最外層３の単板１に、所要図柄の透かし彫り５が打刻される。  このほか、該透かし彫り５が、装飾強調手段を介して目視される。【選択図】図１
0003173725.tif 000002
【実用新案登録請求の範囲】
【請求項１】
所要幅、所要厚の柾目状の単板を平面視所要形状に巻き回して多重層に曲げ重ね、重ね合わせ端部を接着剤で接合するとともに、桜皮で縫い合わせて曲げ輪を形成し、該曲げ輪の底部に底板を接合して成る曲げわっぱ容器において、
前記多重層の最外層の単板に、所要図柄の透かし彫りが打刻されて成る曲げわっぱ容器。
【請求項２】
前記透かし彫りが、装飾強調手段を介して目視されて成る請求項１記載の曲げわっぱ容器。
【請求項３】
前記透かし彫りの冬目間の溝を各種塗料剤で埋めて成る請求項１記載の曲げわっぱ容器。
【考案の詳細な説明】
【技術分野】
【０００１】
本考案は、秋田県大館市を中心に秋田県北部に伝承される伝統工芸技術として著名な、秋田杉等の柾目材をスライスして得られる単板を曲げ加工した曲げわっぱ加工技術に関し、最外層となる単板に冬目を残し、夏目を所要造形に打ち抜いた透かし彫りを配設した曲げわっぱ容器に関する。
【背景技術】
【０００２】
従来から伝統工芸技術として伝承される曲げわっぱ加工技術は、曲げ加工技術だけが重視され、外装の装飾技術は手つかずの状況である。
一方、秋田杉の柾目単板の夏目を所要造形に打ち抜き、冬目を残して透かし彫りする技術は、本願出願人において、天然秋田杉飾り扇子として集大成され、第二回秋田県特産品開発コンクール入選、秋田県推奨木製品認定、平成三年度全国推奨観光土産品として通商産業大臣賞受賞及び平成２、３、５年郵政省年賀はがき３等賞品に採用されるなど、その技術は高く評価されておるところである。
【考案の概要】
【考案が解決しようとする課題】
【０００３】
本考案は、上記の実情に鑑みて、従来からの曲げわっぱの伝統工芸技術に透かし彫りの装飾技術を融合させて、実用性に加えて装飾性に富んだ曲げわっぱ容器の提供をその目的とする。
【課題を解決するための手段】
【０００４】
本考案の請求項１に記載した曲げわっぱ容器は、所要幅、所要厚の柾目状の単板を平面視所要形状に巻き回して多重層に曲げ重ね、重ね合わせ端部を接着剤で接合するとともに、桜皮で逢い合わせて曲げ輪を形成し、該曲げ輪の底部に底板を接合して成る曲げわっぱ容器において、
前記多重層の最外層の単板に、所要図柄の透かし彫りが打刻されて成る。
請求項２に記載した考案は、請求項１に記載した曲げわっぱ容器において、
前記透かし彫りが、装飾強調手段を介して目視されて成る。
【考案の効果】
【０００５】
本考案において、曲げわっぱ容器の最外層に配設される透かし彫りは、森羅万象の図柄やその年の干支の図柄、伝統行事をモチーフにした図柄など種々選択されるところであるから、装飾性に富み、しかも、透かし彫りが装飾強調手段としての各種塗料（うるし塗り等を含む）による着色や着色うるし材やその他の各種塗料或は桜皮材の埋設によって一層際立つものであり、後者の装飾強調手段では、透かし彫りがその冬目間に埋設される着色うるし材やその他の各種塗料、桜皮材によって強化されるから、洗浄時でも冬目が損傷されることなく、実用性では無垢のものと遜色ないものとなる。
【図面の簡単な説明】
【０００６】
【図１】本考案の曲げわっぱ容器Ａの斜視図。
【図２】曲げわっぱ容器Ａの最外層の単板１に透かし彫り５を配設した状態を示す説明用斜視図。
【図３】透かし彫り５の他の実施態様を示す説明図で、（ａ）は菱形図柄９、（ｂ）は雲えんひょうびょう図柄１０、（ｃ）は銀杏黄葉図柄１１を示す。
【図４】３重層の曲げわっぱ容器Ａの透かし彫り５の部分拡大断面図で、（ａ）は装飾強調手段としての着色部６を二層目の単板１の表面に配設した説明図、（ｂ）は透かし彫り５の夏目（冬目間）１aに装飾強調手段としての着色うるし材８を埋設した説明図。
【考案を実施するための形態】
【０００７】
本考案の曲げわっぱ容器は、平面視丸型のものから、従来からの小判型の弁当箱をはじめ菓子器や盆などとしても提供され、弁当箱では透かし彫り又は透かし彫りと装飾強調手段とを配設した蓋と共に提供されるものであり、装飾強調手段は透かし彫りに対応する部位で前層の単板の表面で該透かし彫りに相応して付されるうるし塗り等による着色や或は単に際立つ各種塗料による着色のほか、透かし彫りにより打ち抜かれた夏目に埋め込む着色うるし材、その他の各種塗料や桜皮材などである。また、透かし彫りの図柄は森羅万象の図柄は勿論のこと、その年の干支の図柄、伝統行事をモチーフにした図柄など種々選択される。
【実施例】
【０００８】
本考案の曲げわっぱ容器Ａを一実施例により具体的に説明すると、図１に示すように、曲げわっぱの伝統工芸技術に基づき、秋田杉の柾目状で薄肉の単板１が所要円形状の曲げ輪の多重層（３重層）に成形され、底部に底板（図外）を嵌合して接着接合し、内面にうるし塗２が施され、単板１の最終のひと回り部分、すなわち最外層３の単板１には図２に示すように、予め乾式エア・ブラスト装置（株式会社不二製作所製）で図柄の型板を介して花びら図柄４に夏目１aを抜き、冬目１bを残した透かし彫り５が施され、透かし彫り５の重なり合う内面部（前層）の単板１の部分的な表面には、図４（ａ）に示すように、適宜に着色された着色部６が配設され、最外層３の端部は接着剤で接着されるとともに、桜皮７で閉じられる。
このほか、前記着色部６に代えて透かし彫り５を一層際立たせる装飾強調手段として、図４（ｂ）に示すように、透かし彫りにより打ち抜かれた夏目１aの部分に着色うるし材８やその他の各種塗料などを埋め込むことを提案するものであるが、この場合には、残された冬目１bの相互間が着色うるし材８や前記各種塗料などで強固に補強されるから、使用後の水洗いにおいても透かし彫り５が安全に保護されてより実用的である。
【０００９】
さらに、透かし彫り５の他の実施態様としては、図３の各分図（ａ）、（ｂ）、（ｃ）に示すように、菱形図柄９、雲えんひょうびょう図柄１０、銀杏黄葉図柄１１などが挙げられるが、このものに限定するものではなく広く森羅万象の図柄、曲げわっぱの用途に相応した図柄による透かし彫り５など種々提案される。
【００１０】
このようにして成る曲げわっぱ容器Ａは、図１に示すように、透かし彫り５として花びら図柄４が、透かし彫りにより打ち抜かれた夏目１aを介して着色部６の各種塗料（うるし塗り等を含む）による着色或は埋め込まれた着色うるし材８や各種塗料などによって際立って目視され、従来に例のない新規な曲げわっぱ加工品として曲げわっぱ業界に新風を吹き込むものであり、大いにその需要が期待され得るものである。
なお、曲げわっぱ容器Ａは蓋付きの弁当箱として提供されることは勿論のこと、菓子器や盆などとしても活用される。
【産業上の利用可能性】
【００１１】
本考案の曲げわっぱ容器は、伝統工芸技術に加えて、一枚の柾目状で薄肉の単板の夏目を所要図柄に打ち抜き、冬目を残した透かし彫りの装飾技術を投入することによって、曲げわっぱ業界に新風を吹き込み業界の活性化と秋田杉の利用拡大に大いに貢献できる。
【符号の説明】
【００１２】
１：単板
１a：夏目
１b：冬目
２：うるし塗
３：最外層
４：花びら図柄
５：透かし彫り
６：着色部
７：桜皮
８：着色うるし材
９：菱形図柄
１０：雲えんひょうびょう図柄
１１：銀杏黄葉図柄
Ａ：曲げわっぱ容器
【図１】
0003173725.tif 000003
【図２】
0003173725.tif 000004
【図３】
0003173725.tif 000005
【図４】
0003173725.tif 000006